(57)【特許請求の範囲】
【請求項１】
複数の二次電池の設置空間を画定するハウジングと、
前記ハウジングへ収納され、直列または並列で連結されている複数の二次電池と、
前記複数の二次電池に対する充放電制御及び電気的特性値のモニタリングを行うＢＭＳと、
前記ＢＭＳのグループを設定するグループ設定スイッチと、
前記グループ設定スイッチによって設定されたグループのうち、同一グループ内に含まれるＢＭＳに対し、マスターまたはスレーブの地位を設定する地位設定スイッチとを含み、
前記ＢＭＳは、通信ラインを通じて連結された他のＢＭＳとデータを送受信することを特徴とする、電力貯蔵装置。
【請求項２】
前記地位設定スイッチが、前記ＢＭＳの地位をマスターまたはｎ番目のスレーブとして設定するスイッチであることを特徴とする、請求項１に記載の電力貯蔵装置。
【請求項３】
前記ＢＭＳが、前記地位設定スイッチに設定された値を自分の通信識別子として割り当てることを特徴とする、請求項１に記載の電力貯蔵装置。
【請求項４】
前記地位設定スイッチが、ジャンパースイッチまたはＤＩＰスイッチであることを特徴とする、請求項１に記載の電力貯蔵装置。
【請求項５】
前記ＢＭＳが、前記地位設定スイッチ及び前記グループ設定スイッチに設定された値を自分の通信識別子として割り当てることを特徴とする、請求項１に記載の電力貯蔵装置。
【請求項６】
前記グループ設定スイッチが、ジャンパースイッチまたはＤＩＰスイッチであることを特徴とする、請求項１に記載の電力貯蔵装置。
【請求項７】
電力ライン連結端子及び通信ライン連結端子をさらに含むことを特徴とする、請求項１に記載の電力貯蔵装置。
【請求項８】
請求項１ないし請求項７のいずれか一項に記載の複数の電力貯蔵装置を含む、電力貯蔵システム。
【請求項９】
複数の前記電力貯蔵装置を連結する電力ラインの一端に連結された電力インバーターをさらに含むことを特徴とする、請求項８に記載の電力貯蔵システム。
【請求項１０】
前記電力貯蔵システム内でマスターとして地位が設定された前記ＢＭＳを含む前記電力貯蔵装置と外部モニタリング装置とを連結する外部通信ラインをさらに含むことを特徴とする、請求項８に記載の電力貯蔵システム。
【発明の詳細な説明】
【技術分野】
【０００１】
本発明は、電力貯蔵装置、これを用いた電力貯蔵システム、及びこれを用いた電力貯蔵システムの構成方法に関するものであって、さらに詳しくは、マスターまたはスレーブの設定が容易である電力貯蔵装置、これを用いた電力貯蔵システム、及び電力貯蔵システムの構成方法に関する。
【０００２】
本出願は、２０１１年５月３１日出願の韓国特許出願第１０‐２０１１‐００５１８０３号及び２０１２年５月３０日出願の韓国特許出願第１０‐２０１２‐００５７２１５号に基づく優先権を主張し、該当出願の明細書および図面に開示された内容は、すべて本出願に援用される。
【背景技術】
【０００３】
製品群に対する適用性がよく、高いエネルギー密度などの電気的特性を持つ二次電池は、携帯用機器だけでなく、電気的駆動源によって駆動する電気車両（ＥＶ、Ｅｌｅｃｔｒｉｃ  Ｖｅｈｉｃｌｅ）またはハイブリッド車両（ＨＥＶ、Ｈｙｂｒｉｄ  Ｅｌｅｃｔｒｉｃ  Ｖｅｈｉｃｌｅ）などに普遍的に応用されている。このような二次電池は、化石燃料の使用を画期的に減少させることができるという一次的な長所だけでなく、エネルギーの使用による副産物が全く発生されないという点で、環境にやさしいながらもエネルギーの効率性を向上させることができる新しいエネルギー源として注目されている。
【０００４】
二次電池は、正極集電体、負極集電体、セパレーター、活物質、電解液などを含み、構成要素間の電気化学的反応によって充放電が可能な構造を持つ。一方、近来、エネルギー貯蔵源としての活用を始めとして大容量構造に対する必要性が高まるにつれて、複数個の二次電池が直列または並列などで連結されるマルチモジュール構造を持つ二次電池パックが普遍的に用いられている。
【０００５】
上記二次電池パックは、複数個の二次電池セルが集合された二次電池モジュール及びパックケースを含む。このような基本的な構造に加え、二次電池パックには、負荷に対する電力供給の制御、電流または電圧などの電気的特性値の測定、充放電制御、電圧の平滑化（ｅｑｕａｌｉｚａｔｉｏｎ）制御、ＳＯＣ（Ｓｔａｔｅ  Ｏｆ  Ｃｈａｒｇｅ）の推定などのためのアルゴリズムが適用されて、二次電池セルまたは二次電池モジュールの状態をモニタリングし制御するＢＭＳ（Ｂａｔｔｅｒｙ  Ｍａｎａｇｅｍｅｎｔ  Ｓｙｓｔｅｍ）などが追加的に含まれて構成される。
【０００６】
一方、多様な電圧と容量との要求条件を満たすために、上記のような二次電池パックを複数個含む小容量の電力貯蔵用単位ラックを直列または並列で組み合わせて電力貯蔵システムを構成する場合がある。
【０００７】
このような電力貯蔵システムを運用するためには、各電力貯蔵用単位ラックの電圧、電流、温度、充電量（ＳＯＣ）などを持続的にモニタリングしなければならない。それぞれの電力貯蔵用単位ラックの状態をモニタリングして効率的に制御するために、上記電力貯蔵用単位ラックに含まれたＢＭＳの中でいずれか１つをマスターＢＭＳとして設定し、残りの電力貯蔵用単位ラックに含まれたＢＭＳをスレーブＢＭＳとして相互関係を設定する。そして、上記マスターＢＭＳが上記スレーブＢＭＳを制御して電力貯蔵システムを統合的に運用及び制御する方法が使われている。
【０００８】
最近は、スマートグリッドに対する関心が高まるにつれて、知能型電力網を構築するために、遊休電力を貯蔵する大容量の電力貯蔵システムの必要性が高まっている。このような大容量の電力貯蔵システムを構築するためには、複数の電力貯蔵用単位ラックが使われ、その容量に比例して設置及び管理するための時間及びコストが必要とされる。したがって、上記電力貯蔵用単位ラックのような電力貯蔵装置においてマスターＢＭＳとスレーブＢＭＳとを容易に設定可能な技術に対する開発必要性が台頭している。
【発明の概要】
【発明が解決しようとする課題】
【０００９】
本発明は、上述のような従来技術に鑑みてなされたものであり、マスターまたはスレーブの設定が容易である電力貯蔵装置、これを用いた電力貯蔵システム、及び電力貯蔵システムの構成方法を提供することにその目的がある。
【課題を解決するための手段】
【００１０】
前記技術的課題を達成するための本発明による電力貯蔵装置は、耐久性のある材質からなり、複数の二次電池の設置空間を画定するハウジングと、前記ハウジングへ収納され、直列または並列で連結されている複数の二次電池と、前記複数の二次電池に対する充放電制御及び電気的特性値のモニタリングを行うＢＭＳと、前記ＢＭＳの地位を設定する地位設定スイッチとを含む。
【００１１】
本発明において、前記地位設定スイッチは、前記ＢＭＳの地位をマスターまたはスレーブとして設定するスイッチである。このとき、前記地位設定スイッチは、前記ＢＭＳの地位をマスターまたはｎ番目のスレーブとして設定するスイッチであり得る。
【００１２】
本発明の実施例によれば、前記ＢＭＳは、前記地位設定スイッチに設定された値を自分の通信識別子として割り当て得る。
【００１３】
本発明の実施例によれば、前記地位設定スイッチは、ジャンパースイッチまたはＤＩＰスイッチとなり得る。
【００１４】
本発明による電力貯蔵装置は、前記ＢＭＳのグループを設定するグループ設定スイッチをさらに含み得る。この場合、前記ＢＭＳは、前記地位設定スイッチ及び前記グループ設定スイッチに設定された値を自分の通信識別子として割り当て得る。
【００１５】
本発明の実施例によれば、前記グループ設定スイッチは、ジャンパースイッチまたはＤＩＰスイッチとなり得る。
【００１６】
本発明による電力貯蔵装置は、電力ライン連結端子及び通信ライン連結端子をさらに含み得る。
【００１７】
本発明による電力貯蔵装置は、複数の電力貯蔵装置を含む電力貯蔵システムの一構成要素となり得る。
【００１８】
本発明による電力貯蔵システムは、複数の電力貯蔵装置を連結する電力ラインの一端に連結された電力インバーターをさらに含み得る。
【００１９】
本発明による電力貯蔵システムは、前記電力貯蔵システム内でマスターとして地位が設定されたＢＭＳを含む電力貯蔵装置と外部モニタリング装置とを連結する外部通信ラインをさらに含み得る。
【００２０】
前記技術的課題を達成するための本発明による電力貯蔵システムの構成方法は、ＢＭＳ及び前記ＢＭＳの地位を設定する地位設定スイッチを含む電力貯蔵装置を用いて電力貯蔵システムを構成する方法であって、（ａ）少なくとも２つ以上の電力貯蔵装置を配列するステップと、（ｂ）それぞれの電力貯蔵装置に含まれた地位設定スイッチを通じてそれぞれの電力貯蔵装置に含まれたＢＭＳの地位を設定するステップと、（ｃ）前記電力貯蔵装置の電力ライン及び通信ラインを連結するステップとを含む。
【発明の効果】
【００２１】
本発明の一側面によれば、簡単なＢＭＳの設定によって電力貯蔵システムの構成が容易である。また、何れかの電力貯蔵装置に故障が発生した場合、故障した電力貯蔵装置を管理者が目で容易に区別できることから、メンテナンスが容易である。
【００２２】
本発明の他の側面によれば、各ＢＭＳに設定された地位情報またはグループ情報を各ＢＭＳの通信識別子として使用した場合、別途の通信識別子を予め貯蔵するか、別途の識別子割り当てアルゴリズムを必要としないことから、電力貯蔵装置の製作が容易である。
【００２３】
本発明のまた他の側面によれば、マスターＢＭＳとスレーブＢＭＳとを区別して別途の電力貯蔵装置として構成する必要がない。したがって、電力貯蔵装置の製造コストが低減でき、マスター電力貯蔵装置とスレーブ電力貯蔵装置とを区分せずに、電力貯蔵装置の設置及び管理が可能である。ひいては、電力貯蔵装置の故障が発生したとき、代替が容易であることから、電力貯蔵システムのメンテナンスが容易である。
【００２４】
本明細書に添付される次の図面は、本発明の望ましい実施例を例示するものであり、発明の詳細な説明とともに本発明の技術的な思想をさらに理解させる役割をするため、本発明は図面に記載された事項だけに限定されて解釈されてはならない。
【図面の簡単な説明】
【００２５】
【図１】本発明の実施例による二次電池ラックの分解斜視図である。
【図２】地位設定スイッチ１４０及びグループ設定スイッチ１５０を共に含む二次電池ラック１００の他の実施例を示す斜視図である。
【図３】地位設定スイッチまたはグループ設定スイッチの一実施例として使用できるＤＩＰスイッチの例示図である。
【図４】本発明による電力貯蔵装置が直列で連結された電力貯蔵システムの例示図である。
【図５】本発明による電力貯蔵装置が並列で連結された電力貯蔵システムの例示図である。
【図６】本発明の実施例による電力貯蔵システムの構成方法の流れを示すフローチャートである。
【発明を実施するための形態】
【００２６】
以下、添付した図面を参照しながら本発明の望ましい実施例を詳しく説明する。これに先立って、本明細書及び特許請求の範囲に使われた用語や単語は通常の意味や辞書的な意味に限定して解釈されてはならず、発明者は自らの発明を最善の方法で説明するために用語の概念を適切に定義することができるという原則に則して、本発明の技術的思想に符合する意味と概念とに解釈されなければならない。従って、本明細書に記載された実施例は本発明の最も望ましい一実施例に過ぎず、本発明の技術的思想の全てを代弁するものではないため、本出願時点においてこれらに代替できる多様な均等物と変形例があり得ることを理解しなければならない。
【００２７】
図１は、本発明の実施例による二次電池ラック１００の分解斜視図である。
【００２８】
本発明による電力貯蔵装置は、その容量または大きさが多様であり得る。複数の二次電池モジュールを含む二次電池パックを電力貯蔵システムの単位装置として選択した場合、二次電池パックが本発明による電力貯蔵装置となり得る。また、複数の二次電池パックを含む二次電池ラックを電力貯蔵システムの単位装置として選択した場合、二次電池ラックが本発明による電力貯蔵装置となり得る。図１に示す二次電池ラック１００は、電力貯蔵システムの単位装置に該当する電力貯蔵装置として使用され、本発明の一実施例に過ぎないことを理解しなければならない。
【００２９】
図１を参照すれば、本発明の実施例による二次電池ラック１００は、二次電池パック１１０、ラックハウジング１２０、ＢＭＳ１３０、及び地位設定スイッチ１４０を含む。
【００３０】
複数の二次電池パック１１０は、ラックハウジング１２０に収納され、直列または並列で連結される。二次電池パック１１０の連結は、求められる出力電圧または電力容量によって多様に設定できる。二次電池パック１１０は、１つ以上の二次電池セルを含むものであって、二次電池セルの種類は特に限定されない。二次電池セルは、再充電可能なリチウムイオン電池、リチウムポリマー電池、ニッケルカドミウム電池、ニッケル水素電池、ニッケル亜鉛電池などで構成し得る。
【００３１】
ラックハウジング１２０は、耐久性のある材質からなり、複数の二次電池パック１１０に対する設置空間を画定する。一例として、ラックハウジング１２０は、金属からなる。ラックハウジング１２０は、複数の二次電池パック１１０が多段で収容される全体収容領域を限定できる形態で構成されたラックアセンブリー１２１を含む。そして、ラックハウジング１２０は、二次電池パック１１０の下部底面を支持できるようにラックアセンブリー１２１に多段で一対ずつ配置されて結合される複数のレールフレーム１２２を含む。また、ラックハウジング１２０は、ハウジングカバー１２３をさらに含み得る。ラックハウジング１２０は、本発明による二次電池ラック１００の一実施例に過ぎず、ラックハウジング１２０の構造、材質などは多様な変形が可能である。
【００３２】
ＢＭＳ１３０は、二次電池パック１１０の電流または電圧などの電気的特性値の測定、充放電制御、電圧の平滑化制御、ＳＯＣの推定、二次電池ラック１００の負荷に対する電力供給の制御、モニタリング、エラー表示、ｏｎ／ｏｆｆ制御などを選択的に含んで当業者のレベルで適用可能な多様な制御ロジックが実行できる。また、ＢＭＳ１３０は、二次電池ラック１００を単位装置として電力貯蔵システムを構成したとき、隣接する二次電池ラックのＢＭＳと通信ラインを通じてデータを送受信できる。特に、電力貯蔵システム内に含まれたそれぞれの二次電池ラックに含まれたＢＭＳに対してマスターとしての地位とスレーブとしての地位のうちいずれか１つが設定されれば、それぞれのＢＭＳは設定された地位によって制御ロジックを実行できる。
【００３３】
地位設定スイッチ１４０は、ＢＭＳ１３０の地位を設定するのに使われる。ＢＭＳの地位設定とは、複数の二次電池ラック１００から構成された電力貯蔵システムにおいて、いずれか１つの二次電池ラックに含まれたＢＭＳをマスターＢＭＳとして設定し、残りの二次電池ラックに含まれたＢＭＳをスレーブＢＭＳとして設定することを意味する。
【００３４】
図１に示した実施例において、地位設定スイッチ１４０は、ジャンパースイッチである。ジャンパースイッチは、カップリング部材１４１の結合及び未結合の組み合わせパターンを電気的に認識するスイッチである。ジャンパースイッチは、複数のジャンパーピン１４２を含んでいる。ジャンパースイッチは、複数のジャンパーピン１４２のうちカップリング部材１４１が結合されたジャンパーピン１４２に該当する識別情報を提供する。ジャンパースイッチは、当業界の公知の技術であることから、更なる詳細な説明は省略する。
【００３５】
図１に示したジャンパースイッチは、全部で８つのジャンパーピン１４２を含んでいる。ジャンパースイッチは、上下対応するジャンパーピンが１つの対をなして全部で４対のジャンパーピンを含む。それぞれのジャンパーピン対は、マスタージャンパーピン（Ｍ）、第１スレーブジャンパーピン（Ｓ１）、第２スレーブジャンパーピン（Ｓ２）、及び第３スレーブジャンパーピン（Ｓ３）であって、ＢＭＳの地位情報を示す。各ジャンパーピン対のうち、いずれか１つのジャンパーピン対にカップリング部材１４１が結合されれば、ジャンパーピン対に該当するＢＭＳの地位が設定される。
【００３６】
図１に示した実施例において、カップリング部材１４１は、マスタージャンパーピン（Ｍ）に結合されている。したがって、二次電池ラックのＢＭＳ１３０はマスターＢＭＳとして設定されたことが確認できる。もし、カップリング部材１４１がスレーブピン（Ｓ１〜Ｓ３）のうち何れか１つのジャンパーピン対に結合されれば、二次電池ラックのＢＭＳ１３０は、上述とは反対にスレーブＢＭＳとして設定できる。
【００３７】
地位設定スイッチ１４０がジャンパースイッチで構成された場合、ＢＭＳ１３０は、ジャンパースイッチと電気的にカップリングされてジャンパースイッチに設定されたＢＭＳの地位情報が識別できる。このために、ＢＭＳ１３０は、ジャンパースイッチと電気的にカップリングされるコネクターを含み得る。一方、場合によっては、ＢＭＳ１３０がジャンパースイッチと電気的にカップリングされたとき、ジャンパースイッチが能動的にＢＭＳの地位情報をＢＭＳ１３０側に出力し得る。
【００３８】
本発明の他の実施例によれば、地位設定スイッチ１４０は、複数のスレーブジャンパーピン１４２を含んでいるので、ＢＭＳ１３０をスレーブＢＭＳとして設定するとき、スレーブジャンパーピンの位置によってスレーブＢＭＳの順序も共に設定し得る。
【００３９】
本発明のまた他の側面によれば、ＢＭＳ１３０は、地位設定スイッチ１４０に設定された値を自分の通信識別子として割り当て得る。電力貯蔵システム内でそれぞれのＢＭＳは、通信ラインを通じて連結された他のＢＭＳとデータを送受信することができる。このとき、それぞれのＢＭＳは、通信ライン上で自分を識別させることができる識別子を持つようになる。そして、識別子は互いに重複してはいけない。地位設定スイッチ１４０に設定された値はマスターまたはｎ番目のスレーブとして重複しないように設定される。したがって、各ＢＭＳ１３０は、地位設定スイッチ１４０に設定された値を自分の通信識別子として割り当て、これを通信ライン上の識別子として使用できる。この場合、ＢＭＳ１３０は、通信識別子を予め割り当てる必要がなく、通信識別子を割り当てるための別途のアルゴリズムも必要ない。したがって、ＢＭＳ１３０の製作、メンテナンスが容易である。
【００４０】
一方、求められる電力貯蔵システムの容量または出力が増加すればするほど、複数の電力貯蔵装置が必要である。しかし、１つのマスターＢＭＳが電力貯蔵システム内のすべてのスレーブＢＭＳを制御する方式で電力貯蔵システムを運用する場合、電力貯蔵装置の個数が増加すればするほど、マスターＢＭＳが処理しなければならないデータの量が多くて効率的な制御が難しい。したがって、複数の電力貯蔵装置を２つ以上のグループに分け、各グループ内でさらにマスターＢＭＳとスレーブＢＭＳとを設定してグループ毎に電力貯蔵装置を制御することがより効率的である。したがって、二次電池ラック１００は、選択的にＢＭＳ１３０のグループ設定を可能にするグループ設定スイッチをさらに含み得る。
【００４１】
図２は、地位設定スイッチ１４０及びグループ設定スイッチ１５０を共に含む二次電池ラック１００の他の実施例を示す斜視図である。
【００４２】
図２を参照すれば、本発明の他の実施例による二次電池ラック１００は、地位設定スイッチ１４０とグループ設定スイッチ１５０とを共に含む。一例として、地位設定スイッチ１４０とグループ設定スイッチ１５０とは、ジャンパースイッチからなり得、二次電池ラック１００の正面ハウジングカバーの左側や右側にそれぞれ設置され得る。グループ設定スイッチ１５０は、前述の地位設定スイッチ１４０と同じく、カップリング部材１５１が結合されるジャンパーピン１５２の位置によってＢＭＳ１３０のグループが設定される。
【００４３】
図２に示したグループ設定スイッチ１５０には第２グループピン（Ｇ２）にカップリング部材１５１が結合されており、地位設定スイッチ１４０には第２スレーブピン（Ｓ２）にカップリング部材１４１が結合されている。したがって、二次電池ラック１００に含まれたＢＭＳ１３０は、第２グループの第２スレーブＢＭＳとして、その地位が設定されたことが分かる。
【００４４】
グループ設定スイッチ１５０がジャンパースイッチで構成された場合、ＢＭＳ１３０は、ジャンパースイッチと電気的にカップリングされてジャンパースイッチに設定されたＢＭＳのグループ情報を識別し得る。このために、ＢＭＳ１３０は、ジャンパースイッチからなるグループ設定スイッチ１５０と電気的にカップリングされるコネクターを含み得る。一方、場合によっては、ＢＭＳ１３０がグループ設定スイッチ１５０と電気的にカップリングされたとき、グループ設定スイッチ１５０が能動的にＢＭＳのグループ情報をＢＭＳ１３０側に出力することもできる。
【００４５】
ＢＭＳ１３０は、前述のように、地位設定スイッチ１４０及びグループ設定スイッチ１５０に設定された値を自分の固有な通信識別子として割り当て、他のＢＭＳと通信を行うことでデータを送受信できる。
【００４６】
本発明の他の実施例によれば、地位設定スイッチ１４０またはグループ設定スイッチ１５０は、ＤＩＰスイッチで具現できる。
【００４７】
図３は、地位設定スイッチ１４０またはグループ設定スイッチ１５０の一実施例として使用できるＤＩＰスイッチの例示図である。
【００４８】
図３に示したＤＩＰスイッチ（Ｄｕａｌ  Ｉｎ‐ｌｉｎｅ  Ｐａｃｋａｇｅ  ｓｗｉｔｃｈ）は、２８個の情報が入力できる。したがって、グループまたは地位は、重畳しないように最大２５６個をそれぞれ設定できる。ＤＩＰスイッチの大きさ及び個数は、電力貯蔵システムの容量などによって多様であり得る。
【００４９】
地位設定スイッチ１４０またはグループ設定スイッチ１５０がＤＩＰスイッチで構成された場合、ＢＭＳ１３０は、ＤＩＰスイッチと電気的にカップリングされてＤＩＰスイッチに設定されたＢＭＳの地位情報またはグループ情報を識別し得る。このために、ＢＭＳ１３０は、ＤＩＰスイッチと電気的にカップリングされるコネクターを含み得る。一方、場合によっては、ＢＭＳ１３０がＤＩＰスイッチと電気的にカップリングされたとき、ＤＩＰスイッチが能動的にＢＭＳの地位情報またはグループ情報をＢＭＳ１３０側に出力することもできる。
【００５０】
本発明による電力貯蔵装置は、電力ラインが連結できる電力ライン連結端子及び通信ラインが連結できる通信ライン連結端子をさらに含み得る。
【００５１】
図１及び図２に示す二次電池ラック１００は、一例として、正面ハウジングカバーの下端に設けられた電力ライン連結端子１６０及び通信ライン連結端子１７０を含み得る。
【００５２】
電力ライン連結端子１６０は、二次電池ラック１００を隣接する他の二次電池ラックと直列及び／または並列で連結するとき使用し得る。電力ライン連結端子１６０は、一例として高電位端子と低電位端子とが１つのプラグに結合された構造を有するが、本発明がこれに限定されるのではない。
【００５３】
ＢＭＳ１３０は、通信ライン連結端子１７０を通じて連結された隣接二次電池ラックと互いに通信できる。通信方式としては、ＣＡＮ通信、デイジーチェーン（ｄａｉｓｙ  ｃｈａｉｎ）通信など、当業界に広く知られた多様な方式の通信方式が使用され得る。通信ライン連結端子１７０は、本発明による電力貯蔵装置の通信方式によってその模様及び個数が多様に変わり得る。したがって、本発明は、通信ライン連結端子１７０の構造によって限定されない。
【００５４】
ＢＭＳ１３０は、前述の多様な制御ロジックを行うため、本発明が属する技術分野に知られたプロセッサ、ＡＳＩＣ（ａｐｐｌｉｃａｔｉｏｎ‐ｓｐｅｃｉｆｉｃ  ｉｎｔｅｇｒａｔｅｄ  ｃｉｒｃｕｉｔ）、他のチップセット、論理回路、レジスタ、通信モデム、データ処理装置などを含み得る。また、上述した制御ロジックがソフトウェアとして具現されるとき、ＢＭＳ１３０はプログラムモジュールの集合として具現され得る。このとき、プログラムモジュールはメモリに貯蔵され、プロセッサによって実行され得る。ここで、メモリはプロセッサの内部または外部にあり得、周知の多様な手段によってプロセッサと連結され得る。
【００５５】
本発明による電力貯蔵装置は、複数の電力貯蔵装置を含む電力貯蔵システムの構成要素となり得る。
【００５６】
図４は、本発明による電力貯蔵装置が直列で連結された電力貯蔵システムの例示図である。
【００５７】
図４を参照すれば、電力貯蔵システム２００は、前述の二次電池ラック１００を単位装置として含んでいる。複数の二次電池ラック１００は、地位設定スイッチ１４０を用いてそれぞれマスター（ＭＡＳＴＥＲ）と第１スレーブ（ＳＬＡＶＥ１）ないし第３スレーブ（ＳＬＡＶＥ３）として設定されている。そして、それぞれの二次電池ラック１００は、電力ライン２１０を通じて直列で連結される。それぞれの二次電池ラック１００は、通信ライン２２０を通じて相互通信が可能に連結されている。図４に示した通信ラインは、直列通信網であって、デイジーチェーンであり得る。本発明が属する技術分野においてデイジーチェーンは広く知られた技術であることから、詳細な説明は省略する。
【００５８】
本発明による電力貯蔵システム２００は、マスターＢＭＳが含まれている電力貯蔵装置と外部モニタリング装置とを連結する外部通信ライン２３０をさらに含み得る。外部モニタリング装置は、電力貯蔵システム２００の状態を使用者または管理者に表示し、使用者または管理者が入力した制御信号をマスターＢＭＳに伝送する装置であり得る。
【００５９】
本発明による電力貯蔵システム２００は、複数の電力貯蔵装置を連結する電力ラインの一端に連結された電力インバーター２４０をさらに含み得る。電力インバーター２４０は、電力網系統の商用交流電流を所定の電圧レベルを持つ直流電流に変換して電力貯蔵装置に印加し得る。逆に、電力貯蔵装置から出力される直流電流を所定の電圧レベルを持つ交流電流に変換して電力網系統に印加し得る。図４には、マスター地位が設定された二次電池ラック（ＭＡＳＴＥＲ）と電力インバーター２４０とが連結された実施例を示したが、本発明がこれに限定されるのではない。
【００６０】
図５は、本発明による電力貯蔵装置が並列で連結された電力貯蔵システムの例示図である。
【００６１】
図５に示す電力貯蔵システム２００は、図４に示す電力貯蔵システムと比べたとき、二次電池ラック１００が並列で連結されたことや通信ライン２２０が並列通信ラインであることを除いては、各構成はすべて同一である。通信ラインは、ＣＡＮ通信網であり得る。本発明が属する技術分野においてＣＡＮ通信網は広く知られた技術であることから、詳細な説明は省略する。
【００６２】
図４及び図５に示す本発明による電力貯蔵システム２００は、あくまで一実施例に過ぎない。電力貯蔵装置は、二次電池ラック１００ではなく、二次電池パックとなり得る。また、電力ライン２１０の連結方式は、求められる電力貯蔵システムの容量または出力電力によって直列、並列、または直／並列など多様であることは自明である。また、通信ラインの連結、通信方式なども多様であることは自明である。したがって、図４及び図５に示す電力貯蔵システム２００は、本発明による電力貯蔵システムの一実施例に過ぎず、本発明の範囲を制限しない。
【００６３】
以下では、上述の電力貯蔵装置を用いて電力貯蔵システム２００を構成する方法を開示する。但し、前述した電力貯蔵装置の構成などに対する重複した説明は省略する。
【００６４】
図６は、本発明の実施例による電力貯蔵システムの構成方法の流れを示すフローチャートである。
【００６５】
まず、ステップＳ３００において、電力貯蔵装置を配列する。電力貯蔵装置は、二次電池パック、二次電池ラックなど電力貯蔵システム２００の単位装置の形態によって多様であることは上述済みである。また、電力貯蔵装置の配列は、電力貯蔵システム２００に求められる容量または出力電力によって、電力貯蔵装置の仕様または個数が決まる。但し、説明の便宜上、図１ないし図５で説明した二次電池ラック１００を、電力貯蔵システム２００の単位装置として説明する。
【００６６】
次いで、ステップＳ３１０において、各電力貯蔵装置の地位設定スイッチ１４０を通じて各ＢＭＳ１３０の地位を設定する。本ステップは、地位設定スイッチ１４０を通じて各ＢＭＳをマスターまたはスレーブとして設定するステップである。ここで、スレーブ設定は、スレーブの順番設定を含み得る。
【００６７】
本発明による電力貯蔵システムの構成方法は、ＢＭＳ１３０が地位設定スイッチ１４０に設定された値を自分の通信識別子として割り当てるステップをさらに含み得る。
【００６８】
電力貯蔵装置がグループ設定スイッチ１５０を含む場合、本発明による電力貯蔵システムの構成方法は、グループ設定スイッチ１５０を通じて各ＢＭＳのグループを設定するステップをさらに含み得る。この場合、本発明による電力貯蔵システムの構成方法は、ＢＭＳ１３０が地位設定スイッチ１４０及びグループ設定スイッチ１５０に設定された値を自分の通信識別子として割り当てるステップをさらに含み得る。
【００６９】
各ＢＭＳの地位設定及びグループ設定、地位設定スイッチ１４０及びグループ設定スイッチ１５０に設定された値を自分の通信識別子として割り当てることに対しては前述済みであるので、その具体的な説明は省略する。
【００７０】
最後に、ステップＳ３２０において、電力貯蔵装置の電力ライン２１０及び通信ライン２２０を連結する。本ステップでは、電力貯蔵システム２００に求められる容量または出力電力によって電力ライン２１０を通じて電力貯蔵装置が直列、並列、または直／並列で連結され得る。
【００７１】
電力貯蔵システム２００が電力インバーター２４０を含む場合、本発明による電力貯蔵システムの構成方法は、複数の電力貯蔵装置を連結する電力ラインの一端に電力インバーター２４０を連結するステップをさらに含み得る。
【００７２】
本発明による電力貯蔵システムの構成方法は、電力貯蔵システム内でマスターＢＭＳが含まれた電力貯蔵装置と外部モニタリング装置とを外部通信ラインを通じて連結するステップをさらに含み得る。
【００７３】
各電力貯蔵装置の電力ラインまたは通信ラインの連結に対しては前述済みであるので、その具体的な説明は省略する。
【００７４】
本発明によれば、簡単なＢＭＳの設定によって電力貯蔵システムの構成が容易である。また、何れの電力貯蔵装置に故障が発生した場合、故障した電力貯蔵装置を管理者が目で容易に区別できることから、メンテナンスが容易である。また、各ＢＭＳに設定された地位情報またはグループ情報を各ＢＭＳの通信識別子として使用した場合、別途の通信識別子を予め貯蔵するか、別途の識別子割り当てアルゴリズムを必要としないことから、電力貯蔵装置の製作が簡単である。さらに、マスターＢＭＳとスレーブＢＭＳとを区別して別途の電力貯蔵装置として構成する必要がない。したがって、電力貯蔵装置の製造コストが低減でき、マスター電力貯蔵装置とスレーブ電力貯蔵装置とを区分せずに、電力貯蔵装置の設置及び管理が可能である。ひいては、電力貯蔵装置の故障が発生したとき、代替が容易であることから、電力貯蔵システムのメンテナンスが容易である。
【００７５】
一方、本発明の説明において、図３及び図４に示された本発明による電力貯蔵システムに関する各構成は、物理的に区分される構成要素というよりは論理的に区分される構成要素であると理解せねばならない。
【００７６】
すなわち、それぞれの構成は、本発明の技術思想を実現するための論理的な構成要素に該当するため、それぞれの構成要素が統合または分離されても本発明の論理構成が行う機能さえ実現できれば、本発明の範囲内であると解釈され、同一または類似の機能を果たす構成要素であればその名称の一致性とは関係なく、本発明の範囲内であると解釈されなければならない。
【００７７】
以上のように、本発明は、例として限定された実施例と図面とによって説明されたが、本発明はこれによって限定されず、本発明が属する技術分野において通常の知識を持つ者により本発明の技術思想と特許請求の範囲の均等範囲内で多様な修正及び変形が可能なのは言うまでもない。
【符号の説明】
【００７８】
１００  二次電池ラック
１１０  二次電池パック
１２０  ラックハウジング
１２１  ラックアセンブリー
１２２  レールフレーム
１２３  ハウジングカバー
１３０  ＢＭＳ
１４０  地位設定スイッチ
１４１  カップリング部材
１４２  ジャンパーピン
１５０  グループ設定スイッチ
１５１  カップリング部材
１５２  ジャンパーピン
１６０  電力ライン連結端子
１７０  通信ライン連結端子
２００  電力貯蔵システム
２１０  電力ライン
２２０  通信ライン
２３０  外部通信ライン
２４０  電力インバーター
【図１】
0005972364.tif 000002
【図２】
0005972364.tif 000003
【図３】
0005972364.tif 000004
【図４】
0005972364.tif 000005
【図５】
0005972364.tif 000006
【図６】
0005972364.tif 000007